(57)【要約】【課題】本開示は、運転時間が長くなることを抑制する洗濯機を提供する。【解決手段】第１の洗濯槽４の下方に配設され第１の洗濯槽４とは独立した第２の洗濯槽７の排水経路であり、排水ポンプ１０を設けた第２の排水経路９は、筐体１内で上方位置に立ち上げられ、その最上部２９は第１の洗濯槽４の洗濯水位より上方位置で、かつ、第１の洗濯槽４の溢水口１１より下方位置に位置するとともに、立ち上げられた後に下方へ配管され第１の洗濯槽４の排水経路である第１の排水経路５と合流する構成とすることにより、無駄な遅延時間の発生により運転時間を過剰に増加させることは無く、また、一方の洗濯槽の排水が他方の洗濯槽に逆流することを防止することができる。【選択図】図１
2020068927.tif 000002
【特許請求の範囲】
【請求項１】
筐体と、
前記筐体内に弾性支持された第１の洗濯槽と、
前記第１の洗濯槽内に回転自在に設けられ、洗濯物を収容する第１の収容槽と、
前記収容槽を回転駆動するモータと、
前記第１の洗濯槽からの排水を第１の排水弁の開閉により機外に排出する第１の排水経路と、
前記第１の洗濯槽の下方に配設された第２の洗濯槽と、
前記第２の洗濯槽内に配設され、洗濯物を収容する第２の収容槽と、
前記第２の洗濯槽からの排水を排出する第２の排水経路と、
前記第２の排水経路に設けられた排水ポンプと、を備え、
前記第１の収容槽の上部には水を排出する溢水口が配設され、
前記第２の排水経路は、鉛直上方に立ち上げられて最上部で屈曲されており、前記最上部は前記第２の洗濯槽の下端より上方位置で、かつ前記溢水口より下方位置に位置するとともに、前記最上部から鉛直下方に延伸して前記第１の排水経路と合流する、
洗濯機。
【請求項２】
前記第２の収容槽は、前記第２の洗濯槽の内部に出し入れ可能に配設された、
請求項１に記載の洗濯機。
【発明の詳細な説明】
【技術分野】
【０００１】
本発明は、複数の洗濯槽を有する洗濯機に関する。
【背景技術】
【０００２】
従来、この種の洗濯機は、衣類の種類、あるいは汚れの状況によって衣類を分別して洗濯するために、一つの筐体内に複数の洗濯槽を有している（例えば、特許文献１参照）。
【０００３】
図２は、特許文献１に記載された従来の洗濯機の内部構造の斜視図である。
【０００４】
図２において、筐体５３（枠組のみ表示）内に、上部に第１洗濯ドラム５１、下部に第２洗濯槽５２が配設されている。第１洗濯槽５１、第２洗濯槽５２では、個別に洗濯物を投入して、洗い、すすぎ、脱水などの工程を行うことができるようになっている。
【０００５】
工程中において、第１洗濯槽５１で排水プロセス又は脱水プロセスが行われる前には、第２洗濯槽５２で排水プロセス又は脱水プロセスが実行中かどうかを確認する。
【０００６】
そして、実行中の場合は、第１洗濯槽５１で排水プロセス又は脱水プロセスの実行を一時停止し、第２洗濯槽５２での排水プロセスおよび脱水プロセスの実行終了を待ってから、第１洗濯槽５１での排水プロセス又は脱水プロセスの実行を行う。
【先行技術文献】
【特許文献】
【０００７】
【特許文献１】特表２０１７−５３６９０２号公報
【発明の概要】
【発明が解決しようとする課題】
【０００８】
しかしながら、前記従来の構成では、一方の洗濯槽が排水プロセスを終了するまで他方の洗濯槽の運転が開始しないため、運転時間が長くなるという課題があった。
【０００９】
本開示は、上記従来の課題を解決するもので、運転時間が長くなることを抑制するドラム式洗濯機を提供する。
【課題を解決するための手段】
【００１０】
本開示におけるドラム式洗濯機は、筐体と、前記筐体内に弾性支持された第１の洗濯槽と、前記第１の洗濯槽内に回転自在に設けられ、洗濯物を収容する第１の収容槽と、前記収容槽を回転駆動するモータと、前記第１の洗濯槽からの排水を第１の排水弁の開閉により機外に排出する第１の排水経路と、前記第１の洗濯槽の下方に配設された第２の洗濯槽と、前記第２の洗濯槽内に配設され、洗濯物を収容する第２の収容槽と、前記第２の洗濯槽からの排水を排出する第２の排水経路と、前記第２の排水経路に設けられた排水ポンプと、を備える。前記第１の収容槽の上部には水を排出する溢水口が配設され、前記第２の排水経路は、鉛直上方に立ち上げられて最上部で屈曲されており、前記最上部は前記第２の洗濯槽の下端より上方位置で、かつ前記溢水口より下方位置に位置するとともに、前記最上部から鉛直下方に延伸して前記第１の排水経路と合流する。
【発明の効果】
【００１１】
本開示のドラム式洗濯機は、運転時間が長くなることを抑制できる。
【図面の簡単な説明】
【００１２】
【図１】本発明の実施の形態におけるドラム式洗濯機の概略構成図
【図２】従来のドラム式洗濯機の内部構造の斜視図
【発明を実施するための形態】
【００１３】
以下、発明の実施の形態について、図面を参照しながら説明する。なお、この実施の形態によって本発明が限定されるものではない。
【００１４】
（実施の形態１）
図１は、本発明の実施の形態におけるドラム式洗濯機の概略構成図である。
【００１５】
図１において、略箱状の筐体１内には、回転軸方向を略水平方向とした有底円筒状の回転ドラム３を回転自在に内包する第１の洗濯槽４が図示しないダンパー構造により弾性支持されている。洗濯物を収容する回転ドラム３は、後部側のモータ２１により回転駆動される。
【００１６】
筐体１の前面側には、回転ドラム３への洗濯物の投入や取り出しを行うための扉体２が開閉自在に設けられている。
【００１７】
また、第１の洗濯槽４の下部に設けられた第１の排水口２７には、経路に汚水臭いが侵入してくるのを防止するための排水トラップ２５を有する第１の排水経路５が接続され、第１の排水弁６にて開閉される。
【００１８】
第１の洗濯槽４には、洗濯水位Ａよりも上方位置に溢水口１１が設けられており、溢水口１１から溢れた水は、第１の排水経路５の途中へ排水される。
【００１９】
第１の洗濯槽４の下方には、第１の洗濯槽４とは独立した第２の洗濯槽７が配設されている。そして、第２の洗濯槽７内には、洗濯物を収容する収納部８が配設されており、筐体１に設けた収納部扉体２４を開閉して、引き出し可能となっている。
【００２０】
第２の洗濯槽７の内部では、図示しない洗濯物押圧機構の押圧体により、収納部８に収容した洗濯物に上下の押し洗い動作を加えることにより、洗い、すすぎ動作を行い、洗濯物を強く押し付けることにより水を絞る脱水動作を行うことができる。
【００２１】
また、第２の洗濯槽７の下部に設けられた第２の排水口２８には、経路に排水ポンプ１０を設けた第２の排水経路９が接続されている。そして、第２の排水経路９は、筐体１内で上方位置に立ち上がっており、最上部２９は第１の洗濯槽４の洗濯水位Ａより上方位置で、かつ、第１の洗濯槽４の溢水口１１より下方位置に位置している。排水は、立ち上げた後に下方に配管され、排水合流部２６にて第１の排水経路５と合流している。
【００２２】
筐体１の上内部には制御装置２３が配設されており、筐体１前面部の操作表示部２２から運転開始が設定されると、給水弁（図示せず）、モータ２１、第１の排水弁６、洗濯物押圧機構（図示せず）、排水ポンプ１０などの動作を制御し、洗い、すすぎ、脱水などの各工程を制御する。
【００２３】
以上の構成にて、運転工程において、給水弁（図示せず）から供給された水は、洗剤供給部（図示せず）から供給された洗剤を取り込み、洗濯水として洗濯物を収容した第１の洗濯槽４内に供給される。
【００２４】
第１の洗濯槽４の内部で回転ドラム３が回転動作をすることによって、洗い、すすぎ、
脱水の各工程が実行される。
【００２５】
そして、排水工程では、第１の洗濯槽４の下方に設けられた第１の排水弁６が第１の排水経路５を開放することによって、第１の洗濯槽４内の水は、第１の排水口２７から排水流ａのように第１の排水経路５を通り、自然排水で機外へ排水される。
【００２６】
一方で、給水部（図示せず）から供給された水は、洗剤供給部（図示せず）から供給された洗剤を取り込み、洗濯水として第２の洗濯槽７内にも供給される。
【００２７】
第２の洗濯槽７の内部で、図示しない洗濯物押圧機構の押圧体により、収納部８に収容した洗濯物に上下の押し洗い動作を加えて洗い動作やすすぎ動作を行った後の排水工程では、第２の排水経路９に設けた排水ポンプ１０が動作し、第２の排水口２８から出た水は、第２の排水経路９を通り、排水流ｂのように機外へ排水される。
【００２８】
各洗濯槽での洗い、すすぎ、脱水の動作は、各々が独立しており、第１の洗濯槽４と第２の洗濯槽７をそれぞれ単独で動作させることも、同時に動作させることも可能となっている。
【００２９】
両洗濯槽の工程において、第１の洗濯槽４の排水工程と第２の洗濯槽７の排水工程とが同時に起こった時は、自然排水である第１の洗濯槽４からの排水流ａは、排水合流部２６で、排水ポンプ１０の動作により水速が早く排水合流部２６で下方へ流れていく排水流ｂに引っ張られ、合わせて機外へ排水される。
【００３０】
つまり、排水経路を通じて第１の洗濯槽４から第２の洗濯槽７へ排水が逆流することは無く、第２の洗濯槽７から第１の洗濯槽４へ排水が逆流することも無い。
【００３１】
また、第１の洗濯槽４の排水と第２の洗濯槽７の排水を時間でずらす必要がないため、余計な遅延時間が発生することもなく、運転時間の過剰な増加を防ぐことができる。
【００３２】
以上のように、本実施の形態におけるドラム式洗濯機では、第２の洗濯槽７の排水経路であり排水ポンプ１０を設けた第２の排水経路９は、筐体１内で上方位置に立ち上げられ、その最上部２９は第１の洗濯槽４の洗濯水位より上方位置で、かつ、第１の洗濯槽４の溢水口１１より下方位置に位置するとともに、立ち上げられた後に下方へ配管され第１の洗濯槽４の排水経路である第１の排水経路５と合流する。これにより、無駄な遅延時間の発生により運転時間を過剰に増加させない。また、一方の洗濯槽の排水が他方の洗濯槽に逆流することを防止することができる。
【００３３】
なお、本実施の形態では、第１の収容槽である回転ドラム３と、第２の収容槽である収納部８を説明した。第１の収容槽は、縦型の収容槽であってもよいし、回転ドラムであってもよい。また、第２の収容槽も、縦型の収容槽であってもよいし、回転ドラムであってもよい。
【産業上の利用可能性】
【００３４】
本開示は、複数の収容槽を有する洗濯機に適用可能である。具体的には、収容槽の少なくとも一つが鉛直上方に開口している洗濯機や、収容槽の少なくとも一つが水平又は中心軸が傾くように開口している洗濯機などに、本開示は適用可能である。
【符号の説明】
【００３５】
１  筐体
２  扉体
３  回転ドラム（第１の収容槽）
４  第１の洗濯槽
５  第１の排水経路
６  第１の排水弁
７  第２の洗濯槽
８  収納部（第２の収容槽）
９  第２の排水経路
１０  排水ポンプ
１１  溢水口
２１  モータ
２４  収納部扉体
２９  最上部
【図１】
2020068927.tif 000003
【図２】
2020068927.tif 000004